(57)【要約】【課題】映像データおよび音声データの正常受信が再開した場合に、映像データおよび音声データの同期再生を迅速に再開することができる移動受信端末２０を提供する。【解決手段】本発明の移動受信端末２０は、受信したＰＣＲの受信タイミングとその値の履歴からＰＣＲの受信タイミングとその値の関係を直線近似して次のＰＣＲの受信タイミングとその値を推定するＰＣＲ推定部２０９と、次にＰＣＲを受信すべきタイミングでＰＣＲを受信しなかった場合に、受信しなかったＰＣＲに代えて、推定したＰＣＲをＰＣＲ比較部２０７に供給するＰＣＲ補間部２０３と、供給されたＰＣＲを用いて内部クロックを補正するＰＣＲ比較部２０７とを備える。【選択図】図２
2010161748.tif 000002
【特許請求の範囲】
【請求項１】
ディジタル放送を受信して再生する移動受信端末であって、
中継局から送信されたディジタル放送からＴＳ（Transport Stream）パケットを抽出して出力するＴＳパケット出力手段と、
逐次入力されるＰＣＲ（Program Clock Reference）の値と当該移動受信端末の内部クロックに基づくカウンタの値とを比較して、ＰＣＲによって再生されるクロックと当該内部クロックとの誤差を示す周波数誤差データを出力するＰＣＲ比較手段と、
前記ＰＣＲ比較手段から出力された周波数誤差データを用いて、前記ＴＳパケット出力手段から出力されたＴＳパケットに含まれている映像データまたは音声データのＰＴＳ（Presentation Time Stamp）を補正し、補正したＰＴＳに基づいて映像データまたは音声データの出力タイミングを制御する出力タイミング制御手段と、
前記ＴＳパケット出力手段から逐次出力されるＴＳパケットに含まれるＰＣＲを収集し、過去に収集した複数のＰＣＲの受信時刻毎の値の変化を直線近似し、次に受信すべきＰＣＲの受信時刻および値を、近似した直線上に推定するＰＣＲ推定手段と、
ＴＳパケットが前記ＴＳパケット出力手段から予め定められた時間間隔で出力されているか否かを監視し、
出力されるべきタイミングでＴＳパケットが前記ＴＳパケット出力手段から出力されている場合に、前記ＴＳパケット出力手段から出力されたＴＳパケットに含まれるＰＣＲを前記ＰＣＲ比較手段に供給し、
出力されるべきタイミングでＴＳパケットが前記ＴＳパケット出力手段から出力されない場合に、前記ＰＣＲ推定手段から出力されたＰＣＲを前記ＰＣＲ比較手段に供給するＰＣＲ補間手段と
を備えることを特徴とする移動受信端末。
【請求項２】
請求項１に記載の移動受信端末であって、
ＰＣＲの値を、当該ＰＣＲの受信時刻に対応付けて格納するＰＣＲ受信履歴格納手段をさらに備え、
前記ＰＣＲ推定手段は、
前記ＴＳパケット出力手段から出力されるＴＳパケットに含まれるＰＣＲを受信した場合に、ＰＣＲを受信した時刻に対応付けて受信したＰＣＲの値を前記ＰＣＲ受信履歴格納手段に追加登録し、前記ＰＣＲ受信履歴格納手段内のＰＣＲの受信時刻毎の値の変化を直線近似して次に受信すべきＰＣＲの受信時刻および値を推定し、出力されるべきタイミングでＴＳパケットが前記ＴＳパケット出力手段から出力されなかった場合に、推定したＰＣＲの受信時刻および値を前記ＰＣＲ受信履歴格納手段に追加登録することを特徴とする移動受信端末。
【請求項３】
有線通信回線を介して受信したディジタル放送を電波として出力する中継装置であって、
前記有線通信回線を介して受信したディジタル放送からＴＳ（Transport Stream）パケットを抽出して出力するＴＳパケット出力手段と、
前記ＴＳパケット出力手段から逐次出力されるＴＳパケットに含まれるＰＣＲ（Program Clock Reference）を収集し、過去に収集した複数のＰＣＲの受信時刻毎の値の変化を直線近似し、次に受信すべきＰＣＲの受信時刻および値を、近似した直線上に推定するＰＣＲ推定手段と、
前記ＰＣＲ推定手段からＰＣＲが出力された場合に、当該ＰＣＲを含むＴＳパケットを生成して出力し、前記ＰＣＲ推定手段からＰＣＲが出力されていない場合に、無効なデータを含むＴＳパケットを生成して出力するＮＵＬＬパケット生成手段と、
入力されたＴＳパケットを所定のフォーマットに変換して電波として送信する送信手段と、
ＴＳパケットが前記ＴＳパケット出力手段から予め定められた時間間隔で出力されているか否かを監視し、
出力されるべきタイミングでＴＳパケットが前記ＴＳパケット出力手段から出力されている場合に、前記ＴＳパケット出力手段から出力されたＴＳパケットを前記送信手段に入力し、
出力されるべきタイミングでＴＳパケットが前記ＴＳパケット出力手段から出力されない場合に、前記ＮＵＬＬパケット生成手段から出力されたＴＳパケットを前記送信手段に入力する欠落パケット検出手段と
を備えることを特徴とする中継装置。
【請求項４】
請求項３に記載の中継装置であって、
ＰＣＲの値を、当該ＰＣＲの受信時刻に対応付けて格納するＰＣＲ受信履歴格納手段をさらに備え、
前記ＰＣＲ推定手段は、
前記ＴＳパケット出力手段から出力されるＴＳパケットに含まれるＰＣＲを受信した場合に、ＰＣＲを受信した時刻に対応付けて受信したＰＣＲの値を前記ＰＣＲ受信履歴格納手段に追加登録し、前記ＰＣＲ受信履歴格納手段内のＰＣＲの受信時刻毎の値の変化を直線近似して次に受信すべきＰＣＲの受信時刻および値を推定し、出力されるべきタイミングでＴＳパケットが前記ＴＳパケット出力手段から出力されなかった場合に、推定したＰＣＲの受信時刻および値を前記ＰＣＲ受信履歴格納手段に追加登録することを特徴とする中継装置。
【請求項５】
請求項３または４に記載の中継装置であって、
前記ＴＳパケット出力手段は、
前記有線通信回線を介して受信したディジタル放送のデータが圧縮されている場合には、当該データを伸張した後にＴＳパケットを抽出して出力することを特徴とする中継装置。
【発明の詳細な説明】
【技術分野】
【０００１】
本発明は、ディジタル放送を受信して再生する移動受信端末、または、有線通信回線を介して受信したディジタル放送を電波として出力する中継装置に関する。
【背景技術】
【０００２】
ＩＳＤＢ（Integrated Services Digital Broadcasting）−Ｔ方式のいわゆるワンセグ放送を受信して再生する受信端末が知られている。ＩＳＤＢ−Ｔでは、送信局が、内部クロックの値を示すＰＣＲ（Program Clock Reference）を定期的に受信端末へ送信し、受信端末は、通常、ＰＬＬ（Phase Lock Loop）を用いて、端末内部のクロックを受信したＰＣＲの値で補正することで、送信局側の内部クロックと受信端末側の内部クロックとの同期をとっている。
【０００３】
また、送信局は、自局の内部クロックに基づいて映像データおよび音声データのそれぞれのデータの出力タイミングを指定するＰＴＳ（Presentation Time Stamp）を映像データおよび音声データと共に受信端末へ送信し、受信端末は、ＰＴＳで指定されたタイミングで、対応するビデオデータまたはオーディオデータを出力することにより、ビデオデータとオーディオデータとを、送信局側が意図したタイミングで同期再生することができる。
【０００４】
ところで、ワンセグ放送は、受信エリアが広く、移動しながら受信しても再生された画像や音声の画像の乱れが少ないことから、受信端末は、小型化および軽量化して持ち運び易いようにされることが好ましい。小型化においては、受信機能を実現する部品のワンチップ化が有効であるが、従来はＰＬＬが用いられ、ＰＬＬに関連する部品が大きいために、ワンチップ化が困難であった。
【０００５】
これを解決する方法として、下記の特許文献１には、ＰＬＬを用いることなくビデオデータおよびオーディオデータの同期再生を可能とする技術が開示されている。当該特許文献１では、受信端末は、ＰＣＲを送信局から受信する都度、ＰＣＲの値をレジスタ（PCR_REG_A）に格納し、前回受信してレジスタ（PCR_REG_B）に格納していたＰＣＲの値との差分を算出する。また、受信端末は、ＰＣＲを送信局から受信する都度、その時点での受信端末の内部クロックのカウント値をレジスタ（Local_REG_A）に格納し、前回のＰＣＲの受信時にレジスタ（Local_REG_B）に格納していた内部クロックの値との差分を算出する。
【０００６】
そして、受信端末は、ＰＣＲを送信局から受信する都度、ＰＣＲの値の差分と内部クロックのカウント値の差分との差分を複数のシフトレジスタ（DIFF_0〜N）に順次格納し、複数のシフトレジスタに格納されている差分の平均値を周波数誤差データとして算出する。そして、受信端末は、算出した周波数誤差データを用いてＰＴＳの値を補正することにより、ＰＬＬを用いることなくビデオデータおよびオーディオデータの同期再生を可能としている。
【先行技術文献】
【特許文献】
【０００７】
【特許文献１】特開２００５−３１１５２２号公報
【発明の概要】
【発明が解決しようとする課題】
【０００８】
ところで、上記した特許文献１の技術では、送信局側から送信されたＰＣＲを受信端末が定期的に漏れなく受信することが前提となっており、今回受信したＰＣＲの値と前回受信したＰＣＲの値との差分と、今回のＰＣＲの受信時の内部クロックの値と前回のＰＣＲの受信時の内部クロックの値との差分との差分の値は、ＰＣＲを受信するたびにそれほど大きく変化することはない。
【０００９】
しかし、受信端末は、持ち運ばれることが多く、ワンセグ放送の電波が障害物等により遮られると、ＰＣＲを受信できない場合がある。ＰＣＲを１つ以上受信しなかった場合、その後にＰＣＲを受信すると、今回受信したＰＣＲの値と前回受信したＰＣＲの値との差分は、ＰＣＲを漏れなく受信し続けた場合の値よりも大きくなり、今回のＰＣＲの受信時の内部クロックの値と前回のＰＣＲの受信時の内部クロックの値との差分も、ＰＣＲを漏れなく受信し続けた場合の値よりも大きくなる。さらには、ＰＣＲの値の差分と内部クロックのカウント値の差分との差分も、ＰＣＲを漏れなく受信し続けた場合の値よりも大きくなる。
【００１０】
これにより、ＰＣＲを１つ以上受信しなかった場合には、周波数誤差データの値が大きくなリ、受信端末は、内部クロックの周波数がそれほどずれていないにもかかわらず、あたかも大きくずれているかのように認識してしまい、ビデオデータおよびオーディオデータの同期再生が正しく行われない場合がある。この状況は、シフトレジスタの数が多いほど、長く続くことになる。従って、受信端末は、電波の受信環境が悪化した後に、電波の受信環境が良化して、ＰＣＲのデータ、ビデオデータ、およびオーディオデータの正常な受信が再開したとしても、しばらくの間は、ビデオデータおよびオーディオデータの同期再生を正しく行うことができない場合がある。
【００１１】
本発明は上記事情を鑑みてなされたものであり、本発明の目的は、受信端末においてビデオデータおよびオーディオデータの正常受信が再開した場合に、ビデオデータおよびオーディオデータの同期再生を迅速に再開することにある。
【課題を解決するための手段】
【００１２】
上記課題を解決するために、本発明は、ＰＣＲの受信タイミングとその値の履歴からＰＣＲの受信タイミングとその値の関係を直線近似して次のＰＣＲの受信タイミングとその値を推定し、次にＰＣＲを受信すべきタイミングでＰＣＲを受信しなかった場合に、受信しなかったＰＣＲに代えて、推定したＰＣＲを出力する。
【００１３】
例えば、本発明の第１の態様は、ディジタル放送を受信して再生する移動受信端末であって、中継局から送信されたディジタル放送からＴＳパケットを抽出して出力するＴＳパケット出力手段と、逐次入力されるＰＣＲの値と当該移動受信端末の内部クロックに基づくカウンタの値とを比較して、ＰＣＲによって再生されるクロックと当該内部クロックとの誤差を示す周波数誤差データを出力するＰＣＲ比較手段と、ＰＣＲ比較手段から出力された周波数誤差データを用いて、ＴＳパケット出力手段から出力されたＴＳパケットに含まれている映像データまたは音声データのＰＴＳを補正し、補正したＰＴＳに基づいて映像データまたは音声データの出力タイミングを制御する出力タイミング制御手段と、ＴＳパケット出力手段から逐次出力されるＴＳパケットに含まれるＰＣＲを収集し、過去に収集した複数のＰＣＲの受信時刻毎の値の変化を直線近似し、次に受信すべきＰＣＲの受信時刻および値を、近似した直線上に推定するＰＣＲ推定手段と、ＴＳパケットがＴＳパケット出力手段から予め定められた時間間隔で出力されているか否かを監視し、出力されるべきタイミングでＴＳパケットがＴＳパケット出力手段から出力されている場合に、ＴＳパケット出力手段から出力されたＴＳパケットに含まれるＰＣＲをＰＣＲ比較手段に供給し、出力されるべきタイミングでＴＳパケットがＴＳパケット出力手段から出力されない場合に、ＰＣＲ推定手段から出力されたＰＣＲをＰＣＲ比較手段に供給するＰＣＲ補間手段とを備えることを特徴とする移動受信端末を提供する。
【００１４】
また、本発明の第２の態様は、有線通信回線を介して受信したディジタル放送を電波として出力する中継装置であって、有線通信回線を介して受信したディジタル放送からＴＳパケットを抽出して出力するＴＳパケット出力手段と、ＴＳパケット出力手段から逐次出力されるＴＳパケットに含まれるＰＣＲを収集し、過去に収集した複数のＰＣＲの受信時刻毎の値の変化を直線近似し、次に受信すべきＰＣＲの受信時刻および値を、近似した直線上に推定するＰＣＲ推定手段と、ＰＣＲ推定手段からＰＣＲが出力された場合に、当該ＰＣＲを含むＴＳパケットを生成して出力し、ＰＣＲ推定手段からＰＣＲが出力されていない場合に、無効なデータを含むＴＳパケットを生成して出力するＮＵＬＬパケット生成手段と、入力されたＴＳパケットを所定のフォーマットに変換して電波として送信する送信手段と、ＴＳパケットがＴＳパケット出力手段から予め定められた時間間隔で出力されているか否かを監視し、出力されるべきタイミングでＴＳパケットがＴＳパケット出力手段から出力されている場合に、ＴＳパケット出力手段から出力されたＴＳパケットを送信手段に入力し、出力されるべきタイミングでＴＳパケットがＴＳパケット出力手段から出力されない場合に、ＮＵＬＬパケット生成手段から出力されたＴＳパケットを送信手段に入力する欠落パケット検出手段とを備えることを特徴とする中継装置を提供する。
【発明の効果】
【００１５】
本発明によれば、移動受信端末においてビデオデータおよびオーディオデータの正常受信が再開した場合に、ビデオデータおよびオーディオデータの同期再生を迅速に再開することができる。
【図面の簡単な説明】
【００１６】
【図１】第１の実施形態に係るディジタル放送システム１０の構成を示すシステム構成図である。
【図２】第１の実施形態における移動受信端末２０の機能構成の一例を示すブロック図である。
【図３】ＰＣＲ受信履歴格納部２１０に格納されるデータの構造の一例を示す図である。
【図４】ＰＣＲ推定部２０９によって次の擬似ＰＣＲの受信時刻および値が推定される過程を説明するための概念図である。
【図５】ＰＣＲ比較部２０７に供給されるＰＣＲのデータを説明するための概念図である。
【図６】ＰＣＲ補間部２０３の動作の一例を示すフローチャートである。
【図７】ＰＣＲ推定部２０９の動作の一例を示すフローチャートである。
【図８】第２の実施形態に係るディジタル放送システム５０の構成を示すシステム構成図である。
【図９】第２の実施形態における中継装置６０の機能構成の一例を示すブロック図である。
【図１０】第２の実施形態における移動受信端末７０の機能構成の一例を示すブロック図である。
【図１１】送信部６４に供給されるデータを説明するための概念図である。
【図１２】欠落パケット検出部６３の動作の一例を示すフローチャートである。
【図１３】ＮＵＬＬパケット生成部６６の動作の一例を示すフローチャートである。
【発明を実施するための形態】
【００１７】
まず、本発明の第１の実施形態について説明する。
【００１８】
図１は、第１の実施形態に係るディジタル放送システム１０の構成を示すシステム構成図である。ディジタル放送システム１０は、放送局１１、中継装置１２、および１台以上の移動受信端末２０を備える。放送局１１で作成された放送コンテンツは、中継装置１２を介して、ＩＳＤＢ−Ｔ方式のディジタル放送としてアンテナ１３から出力される。それぞれの移動受信端末２０は、中継装置１２を介して送信されたディジタル放送を受信して再生する。
【００１９】
図２は、第１の実施形態における移動受信端末２０の機能構成の一例を示すブロック図である。移動受信端末２０は、ビデオデコーダ２００、ビデオバッファ２０１、ＤＡＣ（Digital to Analog Converter）２０２、ＰＣＲ補間部２０３、チューナ２０４、ＴＳ（Transport Stream）パケット出力部２０５、スイッチ２０６、ＰＣＲ比較部２０７、出力タイミング制御部２０８、ＰＣＲ推定部２０９、ＰＣＲ受信履歴格納部２１０、オーディオデコーダ２１１、オーディオバッファ２１２、およびＤＡＣ２１３を有する。
【００２０】
ＰＣＲ受信履歴格納部２１０には、例えば図３に示すように、それぞれのＰＣＲ値２１０１が、当該ＰＣＲを受信した受信時刻２１００に対応付けて格納される。チューナ２０４は、アンテナ２１を介して受信したディジタル放送電波を復調し、復調結果をＴＳパケット出力部２０５へ出力する。
【００２１】
ＴＳパケット出力部２０５は、チューナ２０４から出力された復調結果についてデインタリーブならびに誤り検出および訂正等の処理を行って、ＴＳパケットを復元する。そして、ＴＳパケット出力部２０５は、復元したＴＳパケットのＰＩＤ（Program ID）を参照して、映像データを含むＴＳパケットをビデオデコーダ２００へ、音声データを含むＴＳパケットをオーディオデコーダ２１１へ、ＰＣＲを含むＴＳパケットをスイッチ２０６およびＰＣＲ推定部２０９へ、それぞれ出力する。
【００２２】
また、無効なデータを含むＮＵＬＬ＿ＴＳパケットを復元した場合、ＴＳパケット出力部２０５は、復元したＮＵＬＬ＿ＴＳパケットを破棄する。また、ＴＳパケット出力部２０５は、ＴＳパケットを復元する都度、ＴＳパケットを受信した旨をＰＣＲ補間部２０３に通知する。
【００２３】
ビデオデコーダ２００は、ＴＳパケット出力部２０５からＴＳパケットを受け取った場合に、当該ＴＳパケットに含まれる映像データをデコードしてビデオバッファ２０１へ送ると共に、当該ＴＳパケットに含まれている、映像データの出力タイミングを示すＰＴＳを出力タイミング制御部２０８へ送る。ビデオバッファ２０１は、ビデオデコーダ２００から受け取った映像データを蓄積し、出力タイミング制御部２０８からの指示に応じて映像データをＤＡＣ２０２を介して表示装置２２へ出力する。
【００２４】
オーディオデコーダ２１１は、ＴＳパケット出力部２０５からＴＳパケットを受け取った場合に、当該ＴＳパケットに含まれる音声データをデコードしてオーディオバッファ２１２へ送ると共に、当該ＴＳパケットに含まれている、音声データの出力タイミングを示すＰＴＳを出力タイミング制御部２０８へ送る。オーディオバッファ２１２は、オーディオデコーダ２１１から受け取った音声データを蓄積し、出力タイミング制御部２０８からの指示に応じて音声データをＤＡＣ２１３を介してスピーカ２３へ出力する。
【００２５】
ＰＣＲ比較部２０７は、スイッチ２０６を介してＰＣＲを受け取った場合に、受け取ったＰＣＲの値と、移動受信端末２０の内部クロックに基づいて動作するカウンタの値とを比較して、ＰＣＲによって再生されるクロックと当該内部クロックとの誤差を示す周波数誤差データを算出し、算出した周波数誤差データを出力タイミング制御部２０８へ出力する。
【００２６】
出力タイミング制御部２０８は、ビデオデコーダ２００およびオーディオデコーダ２１１から受信したＰＴＳの値を、ＰＣＲ比較部２０７から受信した周波数誤差データに基づいて補正し、補正したＰＴＳを用いて、ビデオバッファ２０１内の映像データの出力タイミングおよびオーディオバッファ２１２内の音声データの出力タイミングを制御する。なお、ＰＣＲ比較部２０７および出力タイミング制御部２０８の動作については、特許文献１に記載されている公知の技術であるため、その詳細な説明は省略する。
【００２７】
ＰＣＲ推定部２０９は、ＴＳパケット出力部２０５からＰＣＲが出力された場合に、ＰＣＲの受信開始を認識し、ＰＣＲがＴＳパケット出力部２０５から出力された時刻を受信時刻として、当該受信時刻に対応付けて、ＴＳパケット出力部２０５から出力されたＰＣＲの値をＰＣＲ受信履歴格納部２１０に追加登録する。そして、ＰＣＲ受信履歴格納部２１０内に２つ以上のＰＣＲの値が登録された場合に、ＰＣＲ推定部２０９は、例えば図４に示すように、横軸を受信時刻、縦軸をＰＣＲの値とするグラフ上に、ＰＣＲ受信履歴格納部２１０内のＰＣＲの値をならべる。
【００２８】
そして、ＰＣＲ推定部２０９は、過去に収集した複数のＰＣＲ３１（図４内の黒丸）の受信時刻毎の値の変化を直線３０で近似する。直線近似の方法としては、例えば最小二乗法や回帰分析により求めた傾向線等が用いられる。この場合、平均傾向から大きく外れるデータ(例えば、平均から３σ（σは標準偏差）以上離れたデータ)がある場合は、そのデータを除去してから傾向線を求めるようにしてもよい。そして、ＰＣＲ推定部２０９は、最新の受信時刻ｔ１の時点までに受信した複数のＰＣＲ３１に基づいて算出した直線３０上に、次のＰＣＲの受信予定時刻ｔ２（例えば、受信時刻ｔ１から約231ミリ秒後）の時点における擬似ＰＣＲ３２（図４の白丸）の受信時刻および値を推定し、推定した擬似ＰＣＲ３２の値を、当該擬似ＰＣＲ３２の受信予定時刻にスイッチ２０６へ出力する。
【００２９】
また、ＰＣＲ推定部２０９は、予め定められたＰＣＲの受信間隔（例えば、約231ミリ秒±数ミリ秒）毎に、ＴＳパケット出力部２０５からＰＣＲが出力されたか否かを監視し、予め定められたＰＣＲの受信間隔毎に、ＴＳパケット出力部２０５からＰＣＲが出力されなかった場合に、推定した擬似ＰＣＲの受信時刻および値をＰＣＲ受信履歴格納部２１０に追加登録する。
【００３０】
これにより、ＴＳパケット出力部２０５からＰＣＲが出力されなくても、それまで２回以上ＰＣＲが出力されていれば、ＰＣＲ推定部２０９は、前回推定した擬似ＰＣＲの受信時刻および値に基づいて、次に受信すべきＰＣＲの値を擬似ＰＣＲとして推定することができる。
【００３１】
ＰＣＲ補間部２０３は、ＴＳパケット出力部２０５からＴＳパケットを受信した旨を通知された場合に、ＴＳパケットの受信開始を認識し、予め定められたＴＳパケットの送信間隔（例えば、ＴＳパケットのビットレートが約32Mbpsである場合、約50μ秒±数μ秒）毎に、ＴＳパケットを受信した旨がＴＳパケット出力部２０５から通知されたか否かを監視する。
【００３２】
ＴＳパケットを受信した旨が、予め定められたＴＳパケットの送信間隔毎にＴＳパケット出力部２０５から通知された場合、ＰＣＲ補間部２０３は、ＴＳパケット出力部２０５の出力がＰＣＲ比較部２０７に供給されていなければ、ＴＳパケット出力部２０５の出力がＰＣＲ比較部２０７に供給されるようにスイッチ２０６を制御する。
【００３３】
一方、ＴＳパケットを受信した旨が、予め定められたＴＳパケットの送信間隔毎にＴＳパケット出力部２０５から通知されない場合、ＰＣＲ補間部２０３は、ＰＣＲ推定部２０９の出力がＰＣＲ比較部２０７に供給されていなければ、ＰＣＲ推定部２０９の出力がＰＣＲ比較部２０７に供給されるようにスイッチ２０６を制御する。
【００３４】
ここで、例えば、図５（ａ）に示すように、中継装置１２からディジタル放送が送信されている場合に、図５（ｂ）に示すように、時刻ｔ３から時刻ｔ４までの区間Ａにおいて、ディジタル放送電波が障害物等に遮られて、移動受信端末２０がディジタル放送電波を受信できなかった場合を例に、ＰＣＲ比較部２０７に供給されるＰＣＲについて説明する。
【００３５】
ＰＣＲ推定部２０９は、図５（ｃ）に示すように、ＰＣＲ受信履歴格納部２１０内の複数のＰＣＲの受信時刻および値を用いて、順次、次の擬似ＰＣＲを推定して出力している。ＰＣＲ補間部２０３は、図５（ｄ）に示すように、時刻ｔ３以前においては、ＴＳパケットを受信すべきタイミングでＴＳパケットを受信した旨が通知されているため、ＴＳパケット出力部２０５の出力をＰＣＲ比較部２０７に供給するようにスイッチ２０６を制御している。
【００３６】
一方、時刻ｔ３から時刻ｔ４までの区間Ａにおいては、ＰＣＲ補間部２０３は、ＴＳパケットを受信すべきタイミングでＴＳパケットを受信した旨が通知されていないことを検出して、ＰＣＲ推定部２０９の出力をＰＣＲ比較部２０７に供給するようにスイッチ２０６を制御する。また、時刻ｔ４以後においては、ＰＣＲ補間部２０３は、ＴＳパケットを受信すべきタイミングでＴＳパケットを受信した旨が通知されたことを検出して、ＴＳパケット出力部２０５の出力をＰＣＲ比較部２０７に供給するようにスイッチ２０６を制御する。
【００３７】
これにより、ＰＣＲ比較部２０７に供給されるＰＣＲは、図５（ｅ）のように、時刻ｔ３以前においては、ＴＳパケット出力部２０５から出力されたＰＣＲがＰＣＲ比較部２０７に供給され、時刻ｔ３からｔ４までの区間Ａにおいては、ＰＣＲ推定部２０９から出力された擬似ＰＣＲがＰＣＲ比較部２０７に供給され、時刻ｔ４以後においては、ＴＳパケット出力部２０５から出力されたＰＣＲがＰＣＲ比較部２０７に供給される。
【００３８】
このように、ディジタル放送電波の受信環境が悪化して、ＰＣＲ等を正常に受信できない期間が発生したとしても、その期間において、ＰＣＲ補間部２０３は、ＰＣＲ推定部２０９が生成した擬似ＰＣＲをＰＣＲ比較部２０７に供給する。そのため、ＰＣＲ比較部２０７は、放送局１１の内部クロックと移動受信端末２０の内部クロックとのずれの算出精度の悪化を低く抑えることができる。これにより、出力タイミング制御部２０８は、ディジタル放送電波の受信環境が良化して、ＰＣＲ、ビデオデータ、およびオーディオデータ等の正常受信が再開した場合に、映像および音声の同期再生を迅速に再開することができる。
【００３９】
図６は、ＰＣＲ補間部２０３の動作の一例を示すフローチャートである。なお、本フローチャートは、移動受信端末２０の電源オン等の所定のタイミングで開始し、ディジタル放送の受信動作終了や移動受信端末２０の電源オフ等の所定のタイミングで終了する。
【００４０】
まず、ＰＣＲ補間部２０３は、ＴＳパケット出力部２０５からＴＳパケットを受信した旨が通知されたか否かを判定することにより、移動受信端末２０がＴＳパケットの受信を開始したか否かを判定する（Ｓ１００）。ＴＳパケットの受信を開始していない場合（Ｓ１００：Ｎｏ）、ＰＣＲ補間部２０３は、ＴＳパケットの受信を開始するまでステップＳ１００に示した処理を実行する。
【００４１】
一方、ＴＳパケットの受信を開始した場合（Ｓ１００：Ｙｅｓ）、ＰＣＲ補間部２０３は、ＴＳパケットを受信すべきタイミングでＴＳパケットを受信した旨がＴＳパケット出力部２０５から通知されたか否かを判定することにより、移動受信端末２０が予め定められたタイミングで次のＴＳパケットを受信したか否かを判定する（Ｓ１０１）。
【００４２】
予め定められたタイミングで次のＴＳパケットを受信した場合（Ｓ１０１：Ｙｅｓ）、ＰＣＲ補間部２０３は、スイッチ２０６の状態を参照して、ＴＳパケット出力部２０５の出力がＰＣＲ比較部２０７に供給されているか否かを判定する（Ｓ１０２）。ＴＳパケット出力部２０５の出力がＰＣＲ比較部２０７に供給されている場合（Ｓ１０２：Ｙｅｓ）、ＰＣＲ補間部２０３は、再びステップＳ１０１に示した処理を実行する。
【００４３】
ＴＳパケット出力部２０５の出力がＰＣＲ比較部２０７に供給されていない場合（Ｓ１０２：Ｎｏ）、ＰＣＲ補間部２０３は、ＴＳパケット出力部２０５の出力がＰＣＲ比較部２０７に供給されるようにスイッチ２０６を制御し（Ｓ１０３）、再びステップＳ１０１に示した処理を実行する。
【００４４】
予め定められたタイミングで次のＴＳパケットを受信していない場合（Ｓ１０１：Ｎｏ）、ＰＣＲ補間部２０３は、スイッチ２０６の状態を参照して、ＰＣＲ推定部２０９の出力がＰＣＲ比較部２０７に供給されているか否かを判定する（Ｓ１０４）。ＰＣＲ推定部２０９の出力がＰＣＲ比較部２０７に供給されている場合（Ｓ１０４：Ｙｅｓ）、ＰＣＲ補間部２０３は、再びステップＳ１０１に示した処理を実行する。
【００４５】
ＰＣＲ推定部２０９の出力がＰＣＲ比較部２０７に供給されていない場合（Ｓ１０４：Ｎｏ）、ＰＣＲ補間部２０３は、ＰＣＲ推定部２０９の出力がＰＣＲ比較部２０７に供給されるようにスイッチ２０６を制御し（Ｓ１０５）、再びステップＳ１０１に示した処理を実行する。
【００４６】
図７は、ＰＣＲ推定部２０９の動作の一例を示すフローチャートである。なお、本フローチャートは、移動受信端末２０の電源オン等の所定のタイミングで開始し、ディジタル放送の受信動作終了や移動受信端末２０の電源オフ等のタイミングで終了する。
【００４７】
まず、ＰＣＲ推定部２０９は、ＴＳパケット出力部２０５からＰＣＲを２回受信したか否かを判定する（Ｓ２００）。ＰＣＲを２回受信していない場合（Ｓ２００：Ｎｏ）、ＰＣＲ推定部２０９は、ＰＣＲを２回受信するまでステップＳ２００に示した処理を実行する。一方、ＰＣＲを２回受信した場合（Ｓ２００：Ｙｅｓ）、ＰＣＲ推定部２０９は、受信したそれぞれのＰＣＲの受信時刻および値をＰＣＲ受信履歴格納部２１０に登録する（Ｓ２０１）。
【００４８】
次に、ＰＣＲ推定部２０９は、図４で説明したように、過去に収集したＰＣＲ受信履歴格納部２１０内の複数のＰＣＲの受信時刻毎の値の変化を直線で近似し（Ｓ２０２）、近似した直線上に、次にＰＣＲを受信すべき受信時刻における擬似ＰＣＲの値を推定する（Ｓ２０３）。そして、ＰＣＲ推定部２０９は、推定した擬似ＰＣＲの受信時刻において、推定した値の擬似ＰＣＲをスイッチ２０６へ出力する（Ｓ２０４）。
【００４９】
次に、ＰＣＲ推定部２０９は、予め定められたＰＣＲを受信すべきタイミングで、ＴＳパケット出力部２０５からＰＣＲを受信したか否かを判定する（Ｓ２０５）。ＴＳパケット出力部２０５からＰＣＲを受信した場合（Ｓ２０５：Ｙｅｓ）、ＰＣＲ推定部２０９は、ＴＳパケット出力部２０５からＰＣＲを受信した受信時刻に対応付けて、受信したＰＣＲの値をＰＣＲ受信履歴格納部２１０に追加登録し（Ｓ２０６）、再びステップＳ２０２に示した処理を実行する。
【００５０】
一方、ＴＳパケット出力部２０５からＰＣＲを受信しなかった場合（Ｓ２０５：Ｎｏ）、ＰＣＲ推定部２０９は、ステップＳ２０３において推定した擬似ＰＣＲの値を、ステップＳ２０３において推定した受信時刻に対応付けてＰＣＲ受信履歴格納部２１０に追加登録し（Ｓ２０７）、再びステップＳ２０２に示した処理を実行する。
【００５１】
以上、本発明の第１の実施形態について説明した。
【００５２】
上記説明から明らかなように、本実施形態の移動受信端末２０によれば、映像データおよび音声データの正常受信が再開した場合に、映像データおよび音声データの同期再生を迅速に再開することができる。
【００５３】
次に、本発明の第２の実施形態について説明する。
【００５４】
図８は、第２の実施形態に係るディジタル放送システム５０の構成を示すシステム構成図である。ディジタル放送システム５０は、放送局５１、中継装置６０、および１台以上の移動受信端末７０を備える。
【００５５】
放送局５１で作成された放送コンテンツは、ＩＳＤＢ−Ｔ用のＭＰＥＧ２のＴＳパケットに変換されてＵＤＰパケットに格納され、さらにＩＰフレームに格納されてインターネット等の通信回線５２を介して中継装置６０へ送られる。中継装置６０は、通信回線５２を介して受信したＴＳパケットをＯＦＤＭ変調し、ディジタル放送電波としてアンテナ５３を介して送信する。それぞれの移動受信端末７０は、中継装置６０から送信されたディジタル放送を受信して再生する。
【００５６】
図９は、第２の実施形態における中継装置６０の機能構成の一例を示すブロック図である。中継装置６０は、ＵＤＰパケット受信部６１、ＴＳパケット出力部６２、欠落パケット検出部６３、送信部６４、ＰＣＲ推定部６５、ＮＵＬＬパケット生成部６６、スイッチ６７、およびＰＣＲ受信履歴格納部６８を有する。ＰＣＲ受信履歴格納部６８内に格納されるデータの構造は、図３を用いて説明した、第１の実施形態におけるＰＣＲ受信履歴格納部２１０と同様であるため、説明を省略する。
【００５７】
ＵＤＰパケット受信部６１は、通信回線５２を介して受信したＩＰフレームからＵＤＰパケットを抽出してＴＳパケット出力部６２へ送る。ＴＳパケット出力部６２は、ＵＤＰパケット受信部６１より受け取ったＵＤＰパケットからＭＰＥＧ２のＴＳパケットを抽出して欠落パケット検出部６３、ＮＵＬＬパケット生成部６６、およびスイッチ６７へ送る。また、ＵＤＰパケット受信部６１は、抽出したＴＳパケットの中で、ＰＣＲを含むＴＳパケットをＰＣＲ推定部６５へ送る。
【００５８】
送信部６４は、スイッチ６７を介して受け取ったＴＳパケットをＯＦＤＭ変調し、ディジタル放送電波としてアンテナ５３を介して送信する。ＰＣＲ推定部６５は、ＴＳパケット出力部６２からＰＣＲを含むＴＳパケットを受け取った場合に、ＰＣＲの受信開始を認識し、ＰＣＲを含むＴＳパケットがＴＳパケット出力部２０５から出力された時刻を受信時刻として、当該受信時刻に対応付けて、ＴＳパケット出力部２０５から出力されたＴＳパケットに含まれるＰＣＲの値をＰＣＲ受信履歴格納部２１０に追加登録する。
【００５９】
そして、ＰＣＲ受信履歴格納部６８内に２つ以上のＰＣＲの値が登録された場合に、ＰＣＲ推定部６５は、次のＰＣＲの受信予定時刻における擬似ＰＣＲの値を推定し、推定した擬似ＰＣＲの値を、当該擬似ＰＣＲの受信予定時刻にＮＵＬＬパケット生成部６６へ出力する。なお、ＰＣＲ推定部６５による擬似ＰＣＲの受信時刻および値の推定方法については、図４を用いて説明した第１の実施形態におけるＰＣＲ推定部２０９と同様であるため、説明を省略する。
【００６０】
ＮＵＬＬパケット生成部６６は、ＴＳパケット出力部６２からＴＳパケットを受け取った場合に、ＴＳパケットの受信開始を認識し、予め定められたＴＳパケットの送信間隔（例えば、約19.2μ秒±数μ秒）毎に、無効なデータを含むＮＵＬＬ＿ＴＳパケットを生成する。そして、ＮＵＬＬパケット生成部６６は、ＰＣＲ推定部６５から擬似ＰＣＲの値が出力されていない場合に、生成したＮＵＬＬ＿ＴＳパケットをスイッチ６７へ出力する。一方、ＰＣＲ推定部６５から擬似ＰＣＲの値が出力された場合、ＮＵＬＬパケット生成部６６は、生成したＮＵＬＬ＿ＴＳパケットに代えて、ＰＣＲ推定部６５から出力された擬似ＰＣＲを含むＴＳパケットを生成してスイッチ６７へ出力する。
【００６１】
欠落パケット検出部６３は、ＴＳパケット出力部６２からＴＳパケットを受け取った場合に、ＴＳパケットの受信開始を認識し、ＴＳパケットが予め定められたＴＳパケットの送信間隔でＴＳパケット出力部６２から出力されているか否かの監視を開始する。出力されるべきタイミングでＴＳパケットがＴＳパケット出力部６２から出力されている場合、欠落パケット検出部６３は、ＴＳパケット出力部６２から出力されたＴＳパケットが送信部６４に入力されるようにスイッチ６７を制御する。一方、出力されるべきタイミングでＴＳパケットがＴＳパケット出力部６２から出力されない場合、欠落パケット検出部６３は、ＮＵＬＬパケット生成部６６から出力されたＴＳパケットが送信部６４に入力されるようにスイッチ６７を制御する。
【００６２】
図１０は、第２の実施形態における移動受信端末７０の機能構成の一例を示すブロック図である。移動受信端末７０は、ビデオデコーダ７００、ビデオバッファ７０１、ＤＡＣ７０２、チューナ７０３、ＴＳパケット出力部７０４、ＰＣＲ比較部７０５、出力タイミング制御部７０６、オーディオデコーダ７０７、オーディオバッファ７０８、およびＤＡＣ７０９を有する。
【００６３】
チューナ７０３は、アンテナ７１を介して受信したディジタル放送電波を復調し、復調結果をＴＳパケット出力部７０４へ出力する。ＴＳパケット出力部７０４は、チューナ７０３から出力された復調結果についてデインタリーブならびに誤り検出および訂正等の処理を行って、ＴＳパケットを復元する。そして、ＴＳパケット出力部７０４は、復元したＴＳパケットのＰＩＤを参照して、映像データを含むＴＳパケットを移動受信端末７０へ、音声データを含むＴＳパケットをオーディオデコーダ７０７へ、ＰＣＲを含むＴＳパケットをＰＣＲ比較部７０５へ、それぞれ出力する。また、無効なデータを含むＮＵＬＬ＿ＴＳパケットを復元した場合、ＴＳパケット出力部７０４は、復元したＮＵＬＬ＿ＴＳパケットを破棄する。
【００６４】
ビデオデコーダ７００は、ＴＳパケット出力部７０４からＴＳパケットを受け取った場合に、当該ＴＳパケットに含まれる映像データをデコードしてビデオバッファ７０１へ送ると共に、当該ＴＳパケットに含まれている、映像データの出力タイミングを示すＰＴＳを出力タイミング制御部７０６へ送る。ビデオバッファ７０１は、ビデオデコーダ７００から受け取った映像データを蓄積し、出力タイミング制御部７０６からの指示に応じて映像データをＤＡＣ７０２を介して表示装置７２へ出力する。
【００６５】
オーディオデコーダ７０７は、ＴＳパケット出力部７０４からＴＳパケットを受け取った場合に、当該ＴＳパケットに含まれる音声データをデコードしてオーディオバッファ７０８へ送ると共に、当該ＴＳパケットに含まれている、音声データの出力タイミングを示すＰＴＳを出力タイミング制御部７０６へ送る。オーディオバッファ７０８は、オーディオデコーダ７０７から受け取った音声データを蓄積し、出力タイミング制御部７０６からの指示に応じて音声データをＤＡＣ７０９を介してスピーカ７３へ出力する。
【００６６】
ＰＣＲ比較部７０５は、ＴＳパケット出力部７０４からＰＣＲを受け取った場合に、受け取ったＰＣＲの値と、移動受信端末７０の内部クロックに基づいて動作するカウンタの値とを比較して、ＰＣＲによって再生されるクロックと当該内部クロックとの誤差を示す周波数誤差データを算出し、算出した周波数誤差データを出力タイミング制御部７０６へ出力する。
【００６７】
出力タイミング制御部７０６は、ビデオデコーダ７００およびオーディオデコーダ７０７から受信したＰＴＳの値を、ＰＣＲ比較部７０５から受信した周波数誤差データに基づいて補正し、補正したＰＴＳを用いて、ビデオバッファ７０１内の映像データの出力タイミングおよびオーディオバッファ７０８内の音声データの出力タイミングを制御する。なお、移動受信端末７０の各機能は、特許文献１等に記載されている公知の技術であるため、その詳細な説明は省略する。
【００６８】
ここで、中継装置６０の内部処理について、図１１を参照しながら説明する。ここでは、例えば、図１１（ａ）に示すように、放送局５１からディジタル放送のＴＳパケットが送信されている場合に、図１１（ｂ）に示すように、時刻ｔ５からｔ６までの区間Ｂにおいて、通信回線５２の輻輳等により一部のＴＳパケットが欠落して中継装置６０に届かなかった場合を例に、送信部６４に供給されるＴＳパケットについて説明する。
【００６９】
ＰＣＲ推定部６５は、図１１（ｃ）に示すように、ＰＣＲ受信履歴格納部６８内の複数のＰＣＲの受信時刻および値を用いて、順次、次の擬似ＰＣＲを推定して出力している。ＮＵＬＬパケット生成部６６は、図１１（ｄ）に示すように、ＰＣＲ推定部６５から擬似ＰＣＲが出力されていない場合にはＮＵＬＬ＿ＴＳパケットを出力し、ＰＣＲ推定部６５から擬似ＰＣＲが出力された場合には擬似ＰＣＲを含むＴＳパケットを出力する。
【００７０】
欠落パケット検出部６３は、図１１（ｅ）に示すように、時刻ｔ５以前においては、ＴＳパケットを受信すべきタイミングでＴＳパケット出力部６２からＴＳパケットが出力されているため、ＴＳパケット出力部６２の出力を送信部６４に供給するようにスイッチ６７を制御する。また、時刻ｔ５から時刻ｔ６の間の区間Ｂおいて、欠落パケット検出部６３は、ＴＳパケットを受信すべきタイミングでＴＳパケットを受信しなかったことを検出して、ＮＵＬＬパケット生成部６６の出力を送信部６４に供給するようにスイッチ６７を制御する。また、時刻ｔ６以後においては、欠落パケット検出部６３は、ＴＳパケットを受信すべきタイミングでＴＳパケットを受信したことを検出し、ＴＳパケット出力部６２の出力を送信部６４に供給するようにスイッチ６７を制御する。
【００７１】
これにより、送信部６４に供給されるＴＳパケットは、図１１（ｆ）のように、時刻ｔ５以前においては、ＴＳパケット出力部６２から出力されたＴＳパケットが送信部６４に供給され、時刻ｔ５からｔ６までの区間Ｂにおいては、ＮＵＬＬパケット生成部６６から出力された、擬似ＰＣＲを含むＴＳパケットまたはＮＵＬＬ＿ＴＳパケットが送信部６４に供給され、時刻ｔ６以後においては、ＴＳパケット出力部６２から出力されたＴＳパケットが送信部６４に供給される。
【００７２】
このように、通信回線５２に輻輳が発生し、放送局５１から送信されたＴＳパケットが欠落した場合であっても、欠落パケット検出部６３は、ＰＣＲ推定部６５が生成した擬似ＰＣＲを含むＴＳパケットを送信部６４に送信させる。そのため、移動受信端末７０のＰＣＲ比較部７０５は、放送局５１の内部クロックと移動受信端末７０の内部クロックとのずれの算出精度の悪化を低く抑えることができる。
【００７３】
これにより、移動受信端末７０の出力タイミング制御部７０６は、通信回線５２に輻輳が発生してＴＳパケットの欠落が発生した後に、中継装置６０において、ＰＣＲ、ビデオデータ、およびオーディオデータ等を含むＴＳパケットの正常受信が再開した場合に、映像および音声の同期再生を迅速に再開することができる。
【００７４】
図１２は、欠落パケット検出部６３の動作の一例を示すフローチャートである。なお、本フローチャートは、中継装置６０の電源オン等の所定のタイミングで開始し、中継装置６０の電源オフ等の所定のタイミングで終了する。
【００７５】
まず、欠落パケット検出部６３は、ＴＳパケット出力部６２からＴＳパケットを受け取ったか否かを判定することにより、中継装置６０がＴＳパケットの受信を開始したか否かを判定する（Ｓ３００）。中継装置６０がＴＳパケットの受信を開始していない場合（Ｓ３００：Ｎｏ）、欠落パケット検出部６３は、中継装置６０がＴＳパケットの受信を開始するまでステップＳ３００に示した処理を繰り返す。
【００７６】
中継装置６０がＴＳパケットの受信を開始した場合（Ｓ３００：Ｙｅｓ）、欠落パケット検出部６３は、予め定められた時間間隔でＴＳパケット出力部６２からＴＳパケットを受信したか否かを判定する（Ｓ３０１）。予め定められた時間間隔でＴＳパケットを受信した場合（Ｓ３０１：Ｙｅｓ）、欠落パケット検出部６３は、スイッチ６７の状態を参照して、ＴＳパケット出力部６２の出力が送信部６４に供給されているか否かを判定する（Ｓ３０２）。ＴＳパケット出力部６２の出力が送信部６４に供給されている場合（Ｓ３０２：Ｙｅｓ）、欠落パケット検出部６３は、再びステップＳ３０１に示した処理を実行する。
【００７７】
一方、ＴＳパケット出力部６２の出力が送信部６４に供給されていない場合（Ｓ３０２：Ｎｏ）、欠落パケット検出部６３は、ＴＳパケット出力部６２の出力が送信部６４に供給されるようにスイッチ６７を制御し（Ｓ３０３）、再びステップＳ３０１に示した処理を実行する。
【００７８】
予め定められた時間間隔でＴＳパケットを受信していない場合（Ｓ３０１：Ｎｏ）、欠落パケット検出部６３は、スイッチ６７の状態を参照して、ＮＵＬＬパケット生成部６６の出力が送信部６４に供給されているか否かを判定する（Ｓ３０４）。ＮＵＬＬパケット生成部６６の出力が送信部６４に供給されている場合（Ｓ３０４：Ｙｅｓ）、欠落パケット検出部６３は、再びステップＳ３０１に示した処理を実行する。
【００７９】
一方、ＮＵＬＬパケット生成部６６の出力が送信部６４に供給されていない場合（Ｓ３０４：Ｎｏ）、欠落パケット検出部６３は、ＮＵＬＬパケット生成部６６の出力が送信部６４に供給されるようにスイッチ６７を制御し（Ｓ３０５）、再びステップＳ３０１に示した処理を実行する。
【００８０】
図１３は、ＮＵＬＬパケット生成部６６の動作の一例を示すフローチャートである。なお、本フローチャートは、中継装置６０の電源オン等の所定のタイミングで開始し、中継装置６０の電源オフ等の所定のタイミングで終了する。
【００８１】
まず、ＮＵＬＬパケット生成部６６は、ＴＳパケット出力部６２からＴＳパケットを受け取ったか否かを判定することにより、中継装置６０がＴＳパケットの受信を開始したか否かを判定する（Ｓ４００）。中継装置６０がＴＳパケットの受信を開始していない場合（Ｓ４００：Ｎｏ）、ＮＵＬＬパケット生成部６６は、中継装置６０がＴＳパケットの受信を開始するまでステップＳ４００に示した処理を繰り返す。
【００８２】
中継装置６０がＴＳパケットの受信を開始した場合（Ｓ４００：Ｙｅｓ）、ＮＵＬＬパケット生成部６６は、予め定められたＴＳパケットの受信タイミング毎に無効なデータを含むＮＵＬＬ＿ＴＳパケットを生成し（Ｓ４０１）、ＰＣＲ推定部６５から擬似ＰＣＲの値を受信したか否かを判定する（Ｓ４０２）。
【００８３】
ＰＣＲ推定部６５から擬似ＰＣＲの値を受信した場合（Ｓ４０２：Ｙｅｓ）、ＮＵＬＬパケット生成部６６は、ステップＳ４０１で生成したＮＵＬＬ＿ＴＳパケットに代えて、ＰＣＲ推定部６５から受信した擬似ＰＣＲを含むＴＳパケットを生成してスイッチ６７へ出力し（Ｓ４０３）、再びステップＳ４０２に示した処理を実行する。
【００８４】
ＰＣＲ推定部６５から擬似ＰＣＲの値を受信していない場合（Ｓ４０２：Ｎｏ）、ＮＵＬＬパケット生成部６６は、ステップＳ４０１で生成したＮＵＬＬ＿ＴＳパケットをスイッチ６７へ出力し（Ｓ４０４）、再びステップＳ４０２に示した処理を実行する。
【００８５】
以上、本発明の第２の実施形態について説明した。
【００８６】
上記説明から明らかなように、本実施形態の中継装置６０によれば、通信回線５２の輻輳等によりＰＣＲ、映像データ、および音声データが欠落した後に、これらのデータの正常受信が再開した場合に、移動受信端末７０において映像データおよび音声データの同期再生を迅速に再開させることができる。
【００８７】
なお、本発明は上記の実施形態に限定されるものではなく、その要旨の範囲内で数々の変形が可能である。
【００８８】
例えば、上記した第２の実施形態において、放送局５１によって圧縮された状態でＴＳパケットが通信回線５２を介して中継装置６０へ送られた場合、中継装置６０のＴＳパケット出力部６２は、ＵＤＰパケット受信部６１より受け取ったＵＤＰパケットから圧縮された状態のＴＳパケットを抽出し、抽出したＴＳパケットを伸張した後に、伸張したＴＳパケットを、欠落パケット検出部６３、ＮＵＬＬパケット生成部６６、およびスイッチ６７へ送る。
【００８９】
また、上記した第２の実施形態における移動受信端末７０は、上記した第１の実施形態に記載された移動受信端末２０の機能を有していてもよい。これにより、通信回線５２においてＴＳパケットが欠落した場合のみならず、中継装置６０から送信されたディジタル放送電波が遮断された場合にも、移動受信端末７０は、ＰＣＲ、映像データ、および音声データの正常受信が再開した場合に、映像データおよび音声データの同期再生を迅速に再開することができる。
【００９０】
なお、上記した各実施形態におけるディジタル放送システムは、映像および音声の迅速な復帰が可能となることから、災害時に配信される緊急警報放送の受信等に有効である。特に、第１の実施形態における移動受信端末２０は、災害時に避難しながら緊急警報放送を受信する場合に特に有効である。また、第２の実施形態における中継装置６０は、災害時に通信回線５２が不安定となる場合において移動受信端末７０が緊急警報放送を受信する場合に特に有効である。
【符号の説明】
【００９１】
１０・・・ディジタル放送システム、１１・・・放送局、１２・・・中継装置、１３・・・アンテナ、２０・・・移動受信端末、２１・・・アンテナ、２２・・・表示装置、２３・・・スピーカ、２００・・・ビデオデコーダ、２０１・・・ビデオバッファ、２０２・・・ＤＡＣ、２０３・・・ＰＣＲ補間部、２０４・・・チューナ、２０５・・・ＴＳパケット出力部、２０６・・・スイッチ、２０７・・・ＰＣＲ比較部、２０８・・・出力タイミング制御部、２０９・・・ＰＣＲ推定部、２１０・・・ＰＣＲ受信履歴格納部、２１１・・・オーディオデコーダ、２１２・・・オーディオバッファ、２１３・・・ＤＡＣ、５０・・・ディジタル放送システム、５１・・・放送局、５２・・・通信回線、５３・・・アンテナ、６０・・・中継装置、６１・・・ＵＤＰパケット受信部、６２・・・ＴＳパケット出力部、６３・・・欠落パケット検出部、６４・・・送信部、６５・・・ＰＣＲ推定部、６６・・・ＮＵＬＬパケット生成部、６７・・・スイッチ、６８・・・ＰＣＲ受信履歴格納部、７０・・・移動受信端末、７００・・・ビデオデコーダ、７０１・・・ビデオバッファ、７０２・・・ＤＡＣ、７０３・・・チューナ、７０４・・・ＴＳパケット出力部、７０５・・・ＰＣＲ比較部、７０６・・・出力タイミング制御部、７０７・・・オーディオデコーダ、７０８・・・オーディオバッファ、７０９・・・ＤＡＣ、７１・・・アンテナ、７２・・・表示装置、７３・・・スピーカ
【図１】
2010161748.tif 000003
【図２】
2010161748.tif 000004
【図３】
2010161748.tif 000005
【図４】
2010161748.tif 000006
【図５】
2010161748.tif 000007
【図６】
2010161748.tif 000008
【図７】
2010161748.tif 000009
【図８】
2010161748.tif 000010
【図９】
2010161748.tif 000011
【図１０】
2010161748.tif 000012
【図１１】
2010161748.tif 000013
【図１２】
2010161748.tif 000014
【図１３】
2010161748.tif 000015